(57)【要約】【課題】電源機と居室親機、居室親機と玄関子機、玄関子機と電気錠の各間を２線式の伝送線で接続するだけで良好に動作する。【解決手段】電源機４と居室親機１、居室親機１と玄関子機２、玄関子機２と電気錠３の間を夫々信号及び電力を伝送する２線式の伝送線６で接続した。居室親機１は、玄関子機２の呼出しを受けて玄関子機２に伝送線６ｂを介して印加する直流電圧を変化させ、玄関子機２はその電圧変化を受けて子機側通話回路３３を駆動させて居室親機１との通話を可能とした。また、居室親機１から伝送線６ｂに電気錠３を解錠動作させる交流電圧を出力したら、玄関子機２は該交流電圧を検出して通常通話のために居室親機１と接続している子機側通話回路３３を切り離して居室親機１に電気錠３を接続する通話／電気錠切替回路３５を備え、玄関子機２に接続された電気錠３を伝送線６ｂを介して居室親機１から操作可能とした。【選択図】　図１
2004040654.tif 000002
【特許請求の範囲】
【請求項１】
訪問者と通話するために少なくとも１つの居室に設置される居室親機と、前記居室親機と接続されて居住者と呼出し・通話をするための玄関子機と、前記玄関子機に接続されて玄関のドア又は門扉に設置される電気錠と、前記居室親機に電源を供給する電源機とを備え、
前記電源機と前記居室親機との間、前記居室親機と前記玄関子機との間、前記玄関子機と電気錠との間を夫々信号及び電力を伝送する２線式の伝送線で接続し、前記玄関子機に、前記居室親機と前記玄関子機との間の前記伝送線に前記電気錠を解錠動作させる交流電圧が印加されたら、該交流電圧を検出して前記居室親機と接続されている通話のための子機側通話回路を切り離して、前記伝送線を介して接続されている電気錠を前記居室親機に接続する通話／電気錠切替回路を設け、
前記玄関子機に接続された前記電気錠を前記伝送線を介して前記居室親機から操作可能としたことを特徴とする電気錠付ドアホン装置。
【請求項２】
前記通話／電気錠切替回路の切替動作は、前記交流電圧のマイナス半波を検出して実施される請求項１記載の電気錠付ドアホン装置。
【請求項３】
前記居室親機に、該居室親機と前記玄関子機との間の待受け，呼出し動作をさせるための直流電圧を発生させる第１電源回路と、前記居室親機と前記玄関子機との間の通話動作を行うための直流電圧を発生させる第２電源回路とを備え、前記第１電源回路の発生電圧が前記第２電源回路の発生電圧より高電圧である請求項１又は２記載の電気錠付ドアホン装置。
【請求項４】
前記玄関子機は、前記居室親機と前記玄関子機との間に設けた前記伝送線に前記第１電源回路からの電圧が印加されている場合には前記子機側通話回路を無効とし、通話を行うための前記第２電源回路からの電圧が印加されている場合には、前記子機側通話回路を有効とする通話制御回路を備えた請求項３記載の電気錠付ドアホン装置。
【請求項５】
前記居室親機は、前記玄関子機からの呼出信号を検出する呼出検出回路と呼出音信号を生成する呼出音生成回路とを備え、
前記呼出検出回路は、前記居室親機と前記玄関子機との間の前記伝送線に前記第１電源回路からの電圧が印加された状態で前記居室親機から前記玄関子機へ流れる電流を監視して前記玄関子機の呼出操作時に前記伝送線に流れる電流値が所定電流値になったら、前記呼出音生成回路へ電源供給を行う請求項３又は４に記載の電気錠付ドアホン装置。
【請求項６】
前記呼出音生成回路が生成した前記呼出音信号により、前記居室親機に備えた鳴動手段及び前記居室親機に接続された増設鳴動手段の双方が鳴動すると共に、前記玄関子機にも前記呼出信号を送出して前記玄関子機に備えた前記子機側通話回路から呼出確認音を発する請求項５に記載の電気錠付ドアホン装置。
【請求項７】
前記玄関子機は、接続される前記居室親機に対応して設けられた居室親機を呼出す呼出ボタンと居住者の名前等を表示する表示部とを有し、前記表示部には夜間でも名前等の認識を可能とする表示部照明回路を備えて成る請求項１乃至６の何れかに記載の電気錠付ドアホン装置。
【請求項８】
前記表示部照明回路は、各表示部に対応した数のバックライトを備え、個々のバックライトは対応する前記居室親機から供給される電力により点灯する請求項７記載の電気錠付ドアホン装置。
【請求項９】
前記玄関子機は、前記呼出ボタンのうち１つを押下すると、押下された呼出ボタンに対応する前記居室親機を選択して、選択した居室親機との間で通話及び電気錠解錠操作を可能とする接続先切替回路を備えた請求項７又は８に記載の電気錠付ドアホン装置。
【請求項１０】
前記居室親機は、前記鳴動手段の鳴動音量を調節する呼出音量調節回路を備えると共に、該呼出音量調節回路を前記鳴動手段を動作させない呼出音切設定としたときに呼出音切設定であることを表示する呼出音切表示回路を備えた請求項６乃至９の何れかに記載の電気錠付ドアホン装置。
【発明の詳細な説明】
【０００１】
【発明の属する技術分野】
本発明は電気錠付ドアホン装置に関し、詳しくは居室に設置される居室親機と、居住者の呼出し・通話をするための玄関子機と、玄関のドア又は門扉に設置される電気錠と、居室親機に電源を供給する電源機とを備えた電気錠付ドアホン装置に関する。
【０００２】
【従来の技術】
従来の電気錠付ドアホン装置としては図６に示す構成のものが知られている。図６のブロック図に示す電気錠付ドアホン装置は、各居室に設置されて訪問者と通話すると共に電気錠を操作する電気錠ボタン５８を備えた複数の居室親機５１，５１・・（図６では４台）と、個々の居室親機５１に接続されて居住者と呼出し・通話をするための１つの玄関子機５２と、玄関のドア又は門扉に設置される電気錠５３と居室親機５１に電源を供給する電源機５４とで構成されている。そして、各居室親機５１，５１・・と玄関子機５２が夫々２線式の伝送線５５で電源機５４に接続され、各居室親機５１，５１・・と玄関子機５２も通話／呼出しを行うため２線式の伝送線５６で接続されている。更に、電気錠５３も電源機５４に２線式の伝送線５７で接続されているが、伝送線５７の一方が各居室親機５１，５１・・に配線されている。
【０００３】
そして、この電気錠付ドアホン装置は、玄関子機５２から呼出しがあると、呼出された居室親機５１にて呼び出し音が鳴動し、居住者に訪問者が来たことを知らせる。次に居住者が受話器を取り上げて応答すると玄関子機５２との通話が可能となり、居室親機５１の電気錠ボタン５８を押下すると電源機５４から電気錠５３に対して電源が供給され、電気錠５３が解錠される。
【０００４】
【発明が解決しようとする課題】
しかし、上記従来の電気錠付ドアホン装置は各機器が電源機５４に接続されたり、電気錠５３が各居室親機５１，５１・・に配線されたりするため、配線数が多く施工が面倒であった。そのため設置作業が面倒であったし、特に既設の住宅に設置する場合は配線数が足りず設置が困難となっていた。
そこで、本発明はこのような問題点に鑑み、電源機と居室親機、居室親機と玄関子機、玄関子機と電気錠の各間を２線式の伝送線で接続するだけで良好に動作する電気錠付ドアホン装置を提供すること目的とする。
【０００５】
【課題を解決するための手段】
上記課題を解決するため、請求項１の発明は、訪問者と通話するために少なくとも１つの居室に設置される居室親機と、居室親機と接続されて居住者と呼出し・通話をするための玄関子機と、玄関子機に接続されて玄関のドア又は門扉に設置される電気錠と、居室親機に電源を供給する電源機とを備え、電源機と居室親機との間、居室親機と玄関子機との間、玄関子機と電気錠との間を夫々信号及び電力を伝送する２線式の伝送線で接続し、玄関子機に、居室親機と玄関子機との間の伝送線に電気錠を解錠動作させる交流電圧が印加されたら、交流電圧を検出して居室親機と接続されている通話のための子機側通話回路を切り離して、伝送線を介して接続されている電気錠を居室親機に接続する通話／電気錠切替回路を設け、玄関子機に接続された電気錠を伝送線を介して居室親機から操作可能としたことを特徴とする。
【０００６】
この構成により、玄関子機と電気錠を２線式の伝送線で接続すると共に居室親機と玄関子機を２線式の伝送線で接続した状態で、居室親機から電気錠の操作ができるので、居室親機と電気錠を直接接続する必要がない。然も、電気錠を居室親機から送られてくる交流電圧で駆動させるので、別途動作電源を必要としない。従って、配線作業が容易となり、伝送線を２線式の１種類で全ての配線が実施でき、既設のドアホン装置を電気錠付のものに交換することも容易に実施できる。
【０００７】
請求項２の発明は、請求項１の発明において、通話／電気錠切替回路の切替動作は、交流電圧のマイナス半波を検出して実施されることを特徴とし、この構成により、交流電圧波形のマイナス半波を検出して通話／電気錠切替回路が動作するので、瞬時に然も確実に切替動作する。また、交流電圧波形のマイナス半波を検出する回路構成は、例えばダイオードとコンデンサを用いて形成でき、簡易な回路で実施できる。
【０００８】
請求項３の発明は、請求項１又は２の発明において、居室親機に、該居室親機と玄関子機との間の待受け，呼出し動作をさせるための直流電圧を発生させる第１電源回路と、居室親機と玄関子機との間の通話動作を行うための直流電圧を発生させる第２電源回路とを備え、第１電源回路の発生電圧が第２電源回路の発生電圧より高電圧であることを特徴とする。
この構成により、呼出し動作時を高電圧としているので、高電圧を必要とする玄関子機側回路を使用することができる。
【０００９】
請求項４の発明は、請求項３の発明において、玄関子機は、居室親機と玄関子機との間に設けた伝送線に第１電源回路からの電圧が印加されている場合には子機側通話回路を無効とし、通話を行うための第２電源回路からの電圧が印加されている場合には、子機側通話回路を有効とする通話制御回路を備えたことを特徴とする。
このように、待受け・呼出し動作時と通話動作時の玄関子機に供給する電源電圧を変化させることで、この変化をスイッチング信号として利用して通話制御回路を切替制御できる。そのため、玄関子機の子機側通話回路の有効，無効を制御するために、別途切替信号を発生させる必要が無く、回路を簡略化できる。
【００１０】
請求項５の発明は、請求項３又は４の発明において、居室親機は、玄関子機の呼出信号を検出する呼出検出回路と呼出音信号を生成する呼出音生成回路とを備え、呼出検出回路は、居室親機と玄関子機との間の伝送線に第１電源回路からの電圧が印加された状態で居室親機から玄関子機へ流れる電流を監視して玄関子機の呼出操作時に伝送線に流れる電流値が所定電流値になったら、呼出音生成回路へ電源供給を行うことを特徴とする。
また、請求項６の発明は、請求項５の発明において、呼出音生成回路が生成した呼出音信号により、居室親機に備えた鳴動手段及び居室親機に接続された増設鳴動手段の双方が鳴動すると共に、玄関子機にも呼出信号を送出して玄関子機に備えた子機側通話回路から呼出確認音を発することを特徴とする。
【００１１】
このように、玄関子機の呼出操作により、居室親機から玄関子機に供給している電源電流を変化させて、その変化を検出して居室親機の鳴動手段が鳴動するので、玄関子機から伝送線を介して別途呼出信号を送出する必要がなく、回路構成を簡略化できる。
また、居室親機が呼出し動作していることを玄関子機にて確認できるので、訪問者に安心感を与えることができ、増設鳴動手段を有することで、玄関子機の呼出を居室にて確実に認識できる。
【００１２】
請求項７の発明は、請求項１乃至６の何れかの発明において、玄関子機は、接続される居室親機に対応して設けられた居室親機を呼出す呼出ボタンと居住者の名前等を表示する表示部とを有し、表示部は夜間でも名前等の認識を可能とする表示部照明回路を備えて成ることを特徴とする。
この構成により、玄関子機が表示部照明回路を備えるので、訪問者は夜間でも容易に呼出ボタンを認識できる。
【００１３】
請求項８の発明は、請求項７の発明において、表示部照明回路は、各表示部に対応した数のバックライトを備え、個々のバックライトは対応する居室親機から供給される電力により点灯することを特徴とする。
この構成により、表示部照明回路は対応する個々の居室親機から電力の供給を受けてバックライトを点灯するので、別途電力供給手段を設ける必要が無い。また、居室親機に電源を供給しなければ対応するバックライトは点灯しないので、例えば空き部屋がある場合は、その居室親機への電源供給を止めればバックライトも点灯しないので、空き部屋であることを玄関子機にて認識できる。
【００１４】
請求項９の発明は、請求項７又は８の発明において、玄関子機は、呼出ボタンのうち１つを押下すると、押下された呼出ボタンに対応する居室親機を選択して、選択した居室親機との間で通話及び電気錠解錠操作を可能とする接続先切替回路を備えたことを特徴とし、この構成により選択した居室親機との間で通話及び電気錠解錠操作が可能となる。
【００１５】
請求項１０の発明は、請求項６乃至９の何れかの発明において、居室親機は、鳴動手段の鳴動音量を調節する呼出音量調節回路を備えると共に、該呼出音量調節回路を鳴動手段を動作させない呼出音切設定としたときに呼出音切設定であることを表示する呼出音切表示回路を備えたことを特徴とする。
このように構成することで、住居人の好みに応じて音量を調整でき、呼出音切表示回路を備えることで呼出音切設定であることを報知するので、解除し忘れを防ぐことができる。
【００１６】
【発明の実施の形態】
以下、本発明を具体化した実施の形態を、図面に基づいて詳細に説明する。図１は本発明に係る電気錠付ドアホン装置の一例を示すブロック図であり、訪問者と通話するために居室に設置される居室親機１と、該居室親機１と接続されて居住者を呼出し・通話をするための玄関子機２と、玄関子機２に接続され玄関のドア又は門扉に設置される電気錠３と、居室親機１に電源を供給する電源機４とを備えている。また、５は増設ブザーである。尚、電源機４は各居室親機１毎に設けられ、図１では居室親機１を４台備えた構成を示し、４台は同一の構成であるため内部構成は１台のみ示している。
そして、居室親機１と電源機４との間、各居室親機１と玄関子機２の間、玄関子機２と電気錠３の間は全て信号及び電力を伝送する２線式の伝送線６（６ａ，６ｂ，６ｂ，６ｂ，６ｂ，６ｃ）で接続されている。
【００１７】
居室親機１は、電源機４から送られて来る交流電力を整流する整流回路１１、玄関子機２からの呼出しを検出する呼出検出回路１２、呼出しの検出を受けてブザー１４及び増設ブザー５を鳴動させる呼出音生成回路１３、電気錠３の解錠操作をする解錠ボタン１５、解錠ボタン１５の操作を受けて玄関子機２内部を切替える電気錠／インターホン切替回路１６、待受け，呼出し状態の電源であり直流１５Ｖの電圧を出力する第１電源回路１７、居室親機１と玄関子機２との通話を行うための電源であり直流６Ｖの電圧を出力する第２電源回路１８、玄関子機２からの呼出しを受けて親機側通話回路２０に接続して通話を可能とする呼出／通話切替回路１９、そして親機側通話回路２０を有し、更に呼出し音量を調節する呼出音量調節回路２１、呼出音切りの状態であることを表示する呼出音切表示回路２２を備えている。
【００１８】
また、玄関子機２は、各居室の居住者の名称等を表示する表示部（図示せず）を有し、その表示部を夜間でも認識を容易とするための表示部照明回路３１、接続された居室親機１に対応した数の押下部を有する呼出ボタン３２、居室親機１と通話するための子機側通話回路３３、押下した呼出ボタン３２に対応する居室親機１を選択し、選択した居室親機１との間で通話及び電気錠解錠操作を可能とする接続先切替回路３４、居室親機１との接続を子機側通話回路３３と電気錠３との間で切替える通話／電気錠切替回路３５、第２電源回路１８からの６Ｖの電圧で子機側通話回路３３をオンする通話制御回路３６を備えている。
【００１９】
次に、上記電気錠付ドアホン装置の動作を説明する。まず、待受時は電源機４から居室親機１に交流電圧が供給され、整流回路１１により整流されて第１電源回路１７に送られて、第１電源回路１７は１５Ｖの直流電圧を出力して居室親機１及び伝送線６ｂを介して玄関子機２の各回路へ供給する。
この状態において、玄関子機２に設けられた呼出ボタン３２のうち、目的の居室親機１を呼出すための１つの押下部を押下すると、接続先切替回路３４が押下した呼出ボタン３２に対応した居室親機１と通話／電気錠切替回路３５を接続する。こうして、居室親機１は通話／電気錠切替回路３５に接続され、居室親機１と玄関子機２との間に通話ラインが形成される。そして、この切替動作により、接続先切替回路３４に居室親機１から待受け時より大きな所定電流が流れる。
【００２０】
すると、居室親機１の呼出検出回路１２が居室親機１から玄関子機２に供給される電流が変化して所定電流値に達したのを検知して、第１電源回路１７から呼出音生成回路１３へ電源供給を行い、呼出音生成回路１３をオンさせる。これによって、呼出音生成回路１３からブザー鳴動信号が出力され、鳴動手段としてのブザー１４が呼出し音を鳴動する。また、居室親機１に接続されている増設鳴動手段としての増設ブザー５へもブザー鳴動信号が出力されて、呼出し音が鳴動される。
更に、呼出音生成回路１３のブザー鳴動信号は、呼出／通話切替回路１９、電気錠／インターホン切替回路１６を介して玄関子機２にも伝送され、接続先切替回路３４、通話／電気錠切替回路３５を介して子機側通話回路３３から呼出確認音が鳴動する。
このように、増設鳴動手段を備えることで、玄関子機の呼出を居室にて確実に認識できるし、居室親機が呼出し動作していることを玄関子機にて確認でき、訪問者に安心感を与えることができる。
【００２１】
そして、ブザー１４の鳴動により呼出音を確認した居住者は、居室親機１の送受話器（図示せず）を取り上げて応答する。この操作により、居室親機１の呼出／通話切替回路１９が通話側に切替えられて通話用の電源である第２電源回路１８から６Ｖの電圧が玄関子機２に供給される。この電圧変化を検知して、玄関子機２の通話制御回路３６は子機側通話回路３３をオンさて、玄関子機２と居室親機１間で通話が可能となる。
【００２２】
また、居室親機１からの電気錠３の解錠操作は、居室親機１の解錠ボタン１５の押下によって実施される。解錠ボタン１５の押下操作によって、電気錠／インターホン切替回路１６が切り替り、電源機４から居室親機１に供給されている交流電圧がそのまま玄関子機２へ供給される。通話／電気錠切替回路３５は、この供給された交流電圧のマイナス半波を検出して、通常は子機側通話回路３３に接続されている通話／電気錠切替回路３５を電気錠３側に切り替え接続する。その結果、電源機４が出力している交流電圧が電気錠３に直接印加されて電気錠３は解錠動作する。
【００２３】
ここで、電気錠３を解錠させる動作について図２の通話／電気錠切替回路３５の説明図及び図３の動作説明図を基に詳しく説明する。尚、図２において、３８は２回路切替リレー、３９は整流ダイオード、４０は平滑コンデンサ、４１は分圧抵抗である。
先ず、待受け／呼出状態では、居室親機１の第１電源回路１７から図３（ａ）の波形Ｗ１に示す１５Ｖの直流電圧が玄関子機２の接続先切替回路３４に印加されている。この状態では整流ダイオード３９により２回路切替リレー３８には電流が流れず、２回路切替リレー３８は子機側通話回路３３と接続されている。
【００２４】
次に、通話時では居室親機１の第２電源回路１８から図３（ｂ）の波形Ｗ２に示す６Ｖの電圧が玄関子機２の接続先切替回路３４に印加される。この状態においても、待受け／呼出状態と同様に整流ダイオード３９により２回路切替リレー３８には電流が流れず２回路切替リレー３８は子機側通話回路３３と接続されたままとなる。
そして、居室親機１の解錠ボタン１５を押下した解錠時では、電源機４からの交流電圧を玄関子機２に供給するように電気錠／インターホン切替回路１６が切り替る。これによって、直流の印加は止まり図３（ｃ）に示す波形Ｗ３のような電源機４からの交流電圧が玄関子機２の接続先切替回路３４に印加される。このマイナス半波が整流ダイオード３９に流れ、平滑コンデンサ４０により２回路切替リレー３８と分圧抵抗４１に電流が流れて２回路切替リレー３８が切替動作し、電気錠３側に切り替って電気錠３が解錠される。
【００２５】
このように、居室親機と玄関子機との間の伝送線に電気錠を解錠動作させる交流電圧が印加されたら、その交流電圧を検出して居室親機と接続されている子機側通話回路を切り離して、伝送線を介して接続されている電気錠を居室親機に接続する通話／電気錠切替回路を玄関子機に設けたので、居室親機から電気錠の操作ができ、居室親機と電気錠とを直接伝送線で接続する必要がない。然も、居室親機と玄関子機の間を２線式の伝送線で接続しただけで実施でき、電気錠を居室親機から送られてくる交流電圧で駆動させるので別途動作電源を必要としない。従って、配線作業が容易となり、伝送線を２線式の１種類で全ての配線が実施でき、既設のドアホン装置を電気錠付のものに交換することも容易に実施できる。
【００２６】
また、玄関子機の呼出操作により、居室親機から玄関子機に供給している動作電源の電流を変化させて、その変化を検出して居室親機の鳴動手段が鳴動するので、玄関子機から伝送線を介して別途呼出信号を送出する必要がなく、回路構成を簡略化できる。また、呼出し操作時を高電圧としているので、玄関子機２の呼出し操作で動作する回路（例えば接続先切替回路３４）を高電圧仕様とし、通話時に動作する回路を低電圧仕様にすることで誤動作するようなことが無く、呼出し操作時は高電圧を必要とする玄関子機側回路を使用することができる。
更に、待受け・呼出し動作時と通話動作時の玄関子機に供給する電源電圧を変化させ、この変化をスイッチング信号として利用して子機側通話回路の有効，無効を制御するために、別途切替信号を発生させる必要が無く、回路を簡略化できる。
また、交流電圧波形のマイナス半波を検出して通話／電気錠切替回路が動作するので、瞬時に然も確実に切替動作する。また、交流電圧波形のマイナス半波を検出する回路構成は、例えばダイオードとコンデンサを用いて作成でき、簡易な回路で実施できる。
【００２７】
図４は居室親機１に設けた呼出音量調節回路２１、呼出音切表示回路２２の一例を示している。図４において、４４は切替スイッチ、４５は抵抗、４６は発光ダイオードである。図示するように、呼出音量調節回路２１は、呼出し音量が「大」，「中」，「切」と３段階に設定できるよう構成され、スイッチ位置Ｐ１は音量「大」、Ｐ２は音量「中」、Ｐ３は音量「切」の回路を夫々示している。
また、呼出音量調節回路２１の操作によって、呼出音を鳴動させない「切」設定である場合、その設定であることを呼出音切表示回路２２の発光ダイオード４６の発光で居住者に対して知らせるようになっている。
このように、住居人の好みに応じて音量を調整できるし、呼出音切表示回路を備えることで呼出音切設定であることを報知するので、解除し忘れを防ぐことができる。
【００２８】
また、図１において玄関子機２に設けられた表示部照明回路３１は、各表示部に対応した数のバックライト（図示せず）を備えている。そして、個々のバックライトは対応する居室親機１の第１電源回路１７、第２電源回路１８或いは電源機４の何れの電力を受けても常時点灯するよう表示部照明回路３１は構成されている。
このように玄関子機に表示部照明回路を設け、対応する個々の居室親機から伝送線を介して電力の供給を受けてバックライトを点灯させるので、夜間でも容易に呼出ボタンを認識できるし、表示部照明回路に別途電力供給手段を設ける必要が無い。また、居室親機に電源を供給しなければ対応するバックライトは点灯しないので、例えば空き部屋がある場合は、その居室親機への電源供給を止めればバックライトも点灯せず、空き部屋であることを認識し易い。
【００２９】
尚、バックライトは第１電源回路１７の電力が供給されている時のみ点灯する構成であっても良く、この場合でも訪問者は表示部を容易に認識できる。
また、上記実施の形態では、第１及び第２の２つの電源回路を設けているが、１つの電源回路で２種類の電圧を出力させるようにしても良い。また、電源機４を各居室親機１毎に設けているが、１個の電源機から各居室親機に電源を供給する構成としても良いし、増設ブザー５は必要に応じて設ければよい。
更に、居室親機を４台設けているが、図５に示すように玄関子機に接続される居室親機は１台のみであっても良く、その場合、接続先切替回路は必要なくなるし、呼出ボタンは１つで済む。
【００３０】
【発明の効果】
以上詳述したように、本発明によれば、電源機と居室親機との間、居室親機と玄関子機との間、玄関子機と電気錠との間のみを夫々信号及び電力を伝送する２線式の伝送線で接続するだけで、居室親機から電気錠の操作ができ、ドアホン装置を良好に作動させることができる。従って、配線作業が容易となり、伝送線を２線式の１種類で全ての配線が実施でき、既設のドアホン装置を電気錠付のものに交換することも容易に実施できる。
【図面の簡単な説明】
【図１】本発明の実施の形態の一例を示す電気錠付ドアホン装置のブロック図である。
【図２】通話／電気錠切替回路の説明図である。
【図３】居室親機から玄関子機に通電される電圧波形を示し、（ａ）は１５Ｖの直流電圧、（ｂ）は６Ｖの直流電圧、（ｃ）は電気錠を操作する際に流れる交流電圧波形である。
【図４】呼出音量調節回路と呼出音切表示回路の回路図である。
【図５】本発明の電気錠付ドアホン装置の他の例を示すブロック図である。
【図６】従来の電気錠付ドアホン装置のブロック図である。
【符号の説明】
１・・居室親機、２・・玄関子機、３・・電気錠、４・・電源機、５・・増設鳴動手段としての増設ブザー、６（６ａ，６ｂ，６ｃ）・・２線式の伝送線、１２・・呼出検出回路、１３・・呼出音生成回路、１４・・鳴動手段としてのブザー、１５・・解錠ボタン、１６・・電気錠／インターホン切替回路、１７・・第１電源回路、１８・・第２電源回路、１９・・呼出／通話切替回路、２０・・親機側通話回路、２１・・呼出音量調節回路、２２・・呼出音切表示回路、３１・表示部照明回路、３２・・呼出ボタン、３３・・子機側通話回路、３４・・接続先切替回路、３５・・通話／電気錠切替回路、３６・・通話制御回路。
【図１】
2004040654.tif 000003
【図２】
2004040654.tif 000004
【図３】
2004040654.tif 000005
【図４】
2004040654.tif 000006
【図５】
2004040654.tif 000007
【図６】
2004040654.tif 000008